(57)【要約】【課題】圧縮機室部前板の取付け容易な空気調和機の室外ユニットを提供する。【解決手段】圧縮機（図示せず）内蔵の圧縮機室７と送風機（図示せず）を有する外箱１ａは、天面に配された天板３と、送風機の風を吹き出す吹き出し口４を設けた吹き出し口部前板５と、吹き出し口４を覆う吹き出しグリル６と、圧縮機室７の前部を覆うと共に複数の係止爪１１を有する圧縮機室部前板９と、右側面部を覆うと共に係止爪１１に係合する係合穴１２を複数有する側板１０から構成され、吹き出しグリル６の一部を、吹き出し口部前板５の右端部より突出させたもので、圧縮機室部前板９取付け時に、その左側端部を吹き出しグリル６の突出した右端下部に挿入することで、圧縮機室部前板９の左側端部の前方向への移動が規制されるので、一人で簡単に、圧縮機室部前板９の右側端部の係止爪１１を、側板１０の係合穴１０に挿入して、取りつけることが出来る。【選択図】図２
2009250459.tif 000002
【特許請求の範囲】
【請求項１】
圧縮機を内蔵した圧縮機室と送風機を有する外箱を備え、前記外箱は、天面に配された天板と、前記送風機の風を吹き出す吹き出し口を設けた吹き出し口部前板と、前記吹き出し口を覆うように設けた吹き出しグリルと、前記圧縮機室の前部を覆うと共に複数の係止爪を有する圧縮機室部前板と、右側面部を覆うと共に前記係止爪に係合する係合穴を複数有する側板から構成され、前記吹き出しグリルの一部が、前記吹き出し口部前板の右端部より突出して、前記圧縮機室部前板の前記吹き出し部前板側の端部に重なるようにしたことを特徴とする空気調和機の室外ユニット。
【請求項２】
吹き出しグリルの圧縮機室部前板側の裏面に前記圧縮機室部前板に向かって突出する凸部を設け、前記圧縮機室部前板の端部に前記凸部を保持する凹部を設けたことを特徴とする請求項１に記載の空気調和機の室外ユニット。
【請求項３】
吹き出しグリルの圧縮機室部前板側の裏面の稜部を面取りした形状としたことを特徴とする請求項１又は２に記載の空気調和機の室外ユニット。
【発明の詳細な説明】
【技術分野】
【０００１】
本発明は、空気調和機の室外ユニットに関するもので、特に室外ユニットの外郭を形成する外箱構成に関するものである。
【背景技術】
【０００２】
大能力タイプの空気調和機の室外ユニットやパッケージ型の空気調和機の室外ユニットでは、室外ユニットの横連続設置対応により、一般の空気調和機では、外装部から突出している配管接続部がユニット内部に収納されているので、設置時の配管接続作業、冷媒追加充填作業また設置状態に応じて室外ユニット制御基板に設けられた種々の設定スイッチの操作を行うには、圧縮機室また圧縮機室の上部に設けられ制御基板を収納する電装部品室とを覆う圧縮機室部前板を外して作業を行うことが必要となっている。そのため圧縮機室部前板は、数本のネジを緩めることで簡単に取り外せる構成となっている。
【０００３】
以下に、従来の空気調和機の室外ユニットの外箱の構成を図７〜９を用いて説明する。
【０００４】
図７において、従来の空気調和機の室外ユニット９０の外箱９０ａは、ユニットベース１００、天面部を覆う天板１０１、前面部を覆い送風機（図示せず）の吹き出し口（図示せず）を設けた吹き出し口部前板１０２、吹き出し口を覆う吹き出しグリル１０２ａ、圧縮機１０６を内蔵する圧縮機室１０６ａと制御基板（図示せず）を収納する電装部品室１０４とを覆う断面略Ｌ字状の圧縮機室部前板１０３、右側面を覆う側板１０５ａ、１０５ｂから構成されている。圧縮機室部前板１０３は、前面側１０３ａと右側面側１０３ｂとで形成され、さらに圧縮機室部前板１０３の上端及び下端はそれぞれネジ１０３ｄで天板１０１とユニットベース１００に締結されている。
【０００５】
図８は、図７における圧縮機室部前板１０３の右側面側１０３ｂのＤ部と側板１０５ｂのＥ部を拡大した詳細図である。
【０００６】
図８に示すように、圧縮機室部前板１０３の右側面側１０３ｂ及び左側端部１０３ｃの各鉛直部には略Ｌ字状の係止爪１１０が、またこの係止爪１１０に対応して、吹き出し口部前板１０２および側板１０５ｂの鉛直端部に角形状の係合穴１１１がそれぞれ複数個設けられている。
【０００７】
圧縮機室部前板１０３が、室外ユニット９０の手前方向に外せるようするために、係止爪１１０は両端側共に、室外ユニット９０の奥行き方向に突出して形成されており、対応する係合穴１１１は係止爪１１０に直交するように開口している。
【０００８】
以上のように、圧縮機室部前板１０３は、圧縮機室部前板１０３の右側面側１０３ｂ、左側端部１０３ｃに設けられた複数個の係止爪１１０と係合穴１１１との係合作用で取りつけられた後、上方にスライドされ、さらに上端、下端をそれぞれ１本のネジ１０３ｄで締結するだけで吹き出し口部前板１０２、側板１０５ａ、１０５ｂに固着できるため、多くのネジを使用する必要がなく、組立時の作業工数を低減できると共にネジ本数が少ないので見栄えもよい。（例えば、特許文献１、２参照）。
【０００９】
図９は、他の従来の空気調和機の室外ユニットを示すもので、図８に示された室外ユニットとほぼ同様な外箱構成となっているが、図９に示されるように、圧縮機室部前板１０３の部分と右側の側板部分１０５とが一体に形成され、しかも右側の側板は１枚で形成され合わせ目が省略されている（例えば、特許文献３参照）。
【特許文献１】特開平６−１２３４４６号公報
【特許文献２】実開平５−６９５３５号公報
【特許文献３】特開平９−１９３９８９号公報
【発明の開示】
【発明が解決しようとする課題】
【００１０】
しかしながら、上記従来の空気調和機の室外ユニット９０の外箱構成では、設置時に圧縮機室部前板１０３を開けての作業、例えば室外ユニット９０と室内ユニット（図示せず）をつなぐ際の冷媒配管接続、冷媒の追加充填や電線接続などの圧縮機室部前板１０３を取り外したり、再度室外ユニット９０に取り付ける際に以下のような課題があった。
【００１１】
圧縮機室部前板１０３は大きな表面積を持ち、またその断面形状が略Ｌ字形状となっているためどうしても前面側１０３ａと右側面側１０３ｂとでヒネリが生じる。このヒネリはコストを掛けて金型の面数を増やすことである程度の改善は可能であるが完全でなく若干のヒネリは残る。
【００１２】
このヒネリが生じた圧縮機室部前板１０３を、側板１０５ａ、１０５ｂ及び吹き出し口部前板１０２に再度取り付けする際、例えば先に側板１０５ａ、１０５ｂの複数の係合穴１１１に圧縮機室部前板１０３の右側端部の係止爪１１０を挿入し（この状態では、圧縮機室部前板１０３を上部にスライドしていないため係合状態でない）、次に吹き出し口部前板１０２の複数の係合穴１１１に圧縮機室部前板１０３の左側端部の係止爪１１０を挿入しようとすると、先ほど挿入した圧縮機室部前板１０３の右側端部の係止爪１１０の一部が挿入した係合穴１１１から外れてしまうことがある。
【００１３】
そこで次に右側端部に注意して再取り付けした時には、逆に左側端部で、係止爪１１０が係合穴１１１から外れてしまうことがある。また、多数の係止爪１１０を同時に挿入しなければならず、作業時の不注意による係止爪１１０や、係合穴１１１の変形等の恐れがある。
【００１４】
大規模設置工事など多人数で作業をしている場合には、一人が右側端部の挿入部（まだ係合されていない）を押さえ、もう一人が左側端部の挿入部を押さえて二人同時に圧縮機室部前板１０３を上方にスライドすれば係合されるので再取り付けが可能であり問題はない。しかし一人で設置作業する場合、また多くの場合一人で作業するサービス時などでは、圧縮機室部前板１０３の再取り付けが簡単でなく多くの時間を費やし、更に注意不足の場合には、確実な係合状態でなく一部の係合部が外れた状態で作業を終了してしまい、後日圧縮機室１０６ａや電装部品室１０４への雨水浸入などで問題を起こすなどの課題があった。また圧縮機室部前板１０３に多数の係止爪１１０を設ける必要があり、形状が複雑になり、コストがかかるといった課題もあった。
【００１５】
本発明は、上記従来の課題を解決し、作業工数や多大なコストを費やすことなく、また見栄えの悪化もなく、一人での作業でも確実に圧縮機室部前板の再取り付けが可能な空気調和機の室外ユニットを提供することを目的とするものである。
【課題を解決するための手段】
【００１６】
上記従来の課題を解決するために、本発明の空気調和機の室外ユニットは、圧縮機を内蔵した圧縮機室と送風機を有する外箱を備え、前記外箱は、天面に配された天板と、前記送風機の風を吹き出す吹き出し口を設けた吹き出し口部前板と、前記吹き出し口を覆うように設けた吹き出しグリルと、前記圧縮機室の前部を覆うと共に複数の係止爪を有する圧縮機室部前板と、右側面部を覆うと共に前記係止爪に係合する係合穴を複数有する側板から構成され、前記吹き出しグリルの一部が、前記吹き出し口部前板の右端部より突出して
、前記圧縮機室部前板の前記吹き出し部前板側の端部に重なるようにしたもので、前記圧縮機室部前板の取り付けの際は、圧縮機室部前板を吹き出しグリルの吹き出し口部前板の右端部より突出した右端下部にすべりこませてから側板側の係止爪を係合穴に挿入し、前記圧縮機室部前板を上部にスライドして上端と下端をビスで締結するが、圧縮機室部前板の左側端部は、吹き出しグリルによって前方向への移動が規制されているので、右側端部の挿入時に左側端部を押さえる必要がない。またスライド時も右側のみ抑えていれば、左側端部が外れることがないため、作業者は右側端部の挿入部のみに注意すればよく、一人でも確実な圧縮機室部前板の取り付けが可能となる。また圧縮機室部前板の吹き出し口部前板側に係止爪を設ける必要がなく係止爪は側板側のみに設ければ良いので、係止爪の変形の恐れも少なく、コストも安価にすることが可能となる。
【発明の効果】
【００１７】
本発明の空気調和機の室外ユニットは、安価な構成で、見栄えを悪くすることもなく、一人で確実に、しかも簡単に圧縮機室部前板の取り付けができるので、作業効率が非常に良いものである。
【発明を実施するための最良の形態】
【００１８】
第１の発明は、圧縮機を内蔵した圧縮機室と送風機を有する外箱を備え、前記外箱は、天面に配された天板と、前記送風機の風を吹き出す吹き出し口を設けた吹き出し口部前板と、前記吹き出し口を覆うように設けた吹き出しグリルと、前記圧縮機室の前部を覆うと共に複数の係止爪を有する圧縮機室部前板と、右側面部を覆うと共に前記係止爪に係合する係合穴を複数有する側板から構成され、前記吹き出しグリルの一部が、前記吹き出し口部前板の右端部より突出して、前記圧縮機室部前板の前記吹き出し部前板側の端部に重なるようにしたもので、前記圧縮機室部前板の取り付けの際は、圧縮機室部前板を吹き出しグリルの吹き出し口部前板の右端部より突出した右端下部にすべりこませてから側板側の係止爪を係合穴に挿入し、前記圧縮機室部前板を上部にスライドして上端と下端をビスで締結するが、圧縮機室部前板の左側端部は、吹き出しグリルによって前方向への移動が規制されているので、右側端部の挿入時に左側端部を押さえる必要がない。またスライド時も右側のみ抑えていれば、左側端部が外れることがないため、作業者は右側端部の挿入部のみに注意すればよく、一人でも確実な圧縮機室部前板の取り付けが可能となる。また圧縮機室部前板の吹き出し口部前板側に係止爪を設ける必要がなく係止爪は側板側のみに設ければ良いので、係止爪の変形の恐れも少なく、コストも安価にすることが可能となる。
【００１９】
第２の発明は、特に、第１の発明の吹き出しグリルの圧縮機室部前板側の裏面に前記圧縮機室部前板に向かって突出する凸部を設け、前記圧縮機室部前板の端部に前記凸部を保持する凹部を設けたもので、前記圧縮機室部前板の取り付けの際は、吹き出しグリルの裏面に設けた凸部が圧縮機室部前板の端部の凹部と係合して圧縮機室部前板が保持されるため、一人で確実に、しかも容易に前記圧縮機室部前板の取り付けができる。
【００２０】
第３の発明は、特に、第１又は第２の発明の吹き出しグリルの圧縮機室部前板側の裏面の稜部を面取りした形状としたもので、圧縮機室部前板を取り付ける際に、吹き出しグリルの圧縮機室部前板側の面取り形状により、容易に、吹き出しグリル裏面に案内されるため、容易に圧縮機室部前板を取り付けることができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における空気調和機の室外ユニットの斜視図で、図２は、同室外ユニットの外箱構成を示す分解斜視図である。
【００２３】
図１、図２において、室外ユニット１の外箱１ａは、底部を形成するユニットベース２と、天面部を覆う天板３と、前面部を覆うとともに内蔵された送風機（図示せず）による風を吹き出す吹き出し口４を有する吹き出し口部前板５と、前記吹き出し口４を覆おう吹き出しグリル６と、圧縮機（図示せず）を内蔵する圧縮機室７や制御基板（図示せず）を収納する電装部品室８を覆う圧縮機室部前板９と、右側面を覆う側板１０から構成されている。
【００２４】
圧縮機室部前板９は、前面に位置する前面部９ａと、右側部９ｂとで断面略Ｌ字状に形成されている。
【００２５】
圧縮機室部前板９の右側部９ｂの端部に、後方に突出した係止爪１１が複数個設けられ、側板１０の端部の前記係止爪１１に対応する位置に角形状の係合穴１２が設けられている。
【００２６】
また、前記吹き出しグリル６は、前記吹き出し口４を覆うと共に、右端の一部が前記吹き出し口部前板５から突出し、前記圧縮機室前板９の左端と重なるように配置されている。
【００２７】
圧縮機室部前板９の室外ユニット１への取り付けは、圧縮機室部前板９の左側端部を、吹き出しグリル６の吹き出し口前板５から突出した右端下部にすべりこませてから、圧縮機室部前板９の右側端部の係止爪１１を、側板１０の係合穴１２に挿入し、次に、前記圧縮機室部前板９を上部にスライドして上端と下端をビス１３で締結するが、左側端部は、吹き出しグリル６によって前方向への移動が規制されているので、右側端部の挿入時に、左側端部を押さえる必要がない。またスライド時も右側のみ抑えていれば、左側端部が外れることがないため、作業者は、右側端部の挿入部のみに注意すればよく、一人でも確実な圧縮機室部前板９の取り付けが可能となる。
【００２８】
また、本実施の形態では、圧縮機室部前板９の吹き出し口部前板５側に係止爪１１を設ける必要がなく、係止爪１１は側板１０側のみに設ければ良いので、係止爪１１の変形の恐れも少なく、コストも安価にすることが可能となる。
【００２９】
以上のように、本実施の形態によれば、安価な構成で、一人でも簡単に、しかも確実に圧縮機室部前板９の取り付けができるものである。
【００３０】
（実施の形態２）
図３は、本発明の第２の実施の形態における空気調和機の室外ユニットの分解斜視図である。なお、上記第１の実施の形態と同一部分については同一符号を付してその説明を省略する。
【００３１】
本実施の形態は、図３に示すように、吹き出しグリル６の圧縮機室部前板９側の裏面に、圧縮機室部前板９に向かって突出する凸部１４を設け、圧縮機室部前板９の端部に、前記凸部１４を保持する凹部１５を設けたもので、前記圧縮機室部前板９の取り付けの際は、吹き出しグリル６の裏面に設けた凸部１４が圧縮機室部前板９の端部に設けた凹部１５と係合して圧縮機室部前板９が保持されるため、一人で確実に、しかも容易に前記圧縮機室部前板９の取り付けができる。
【００３２】
（実施の形態３）
図４は、本発明の第３の実施の形態における空気調和機の室外ユニットの部分分解斜視図で、図５は、同室外ユニットの吹き出しグリルの斜視図、図６は、同室外ユニットの吹
き出しグリルの横断面図である。なお、上記実施の形態と同一部分については同一符号を付してその説明を省略する。
【００３３】
本実施の形態は、図４〜６に示すように、吹き出しグリル６の圧縮機室部前板９側の裏面の稜部を面取した面取り形状１６としたもので、圧縮機室部前板９を取り付ける際に、吹き出しグリル６の圧縮機室部前板９側の面取りした面取り形状１６により、圧縮機室部前板９の左側端部が、容易に吹き出しグリル６の裏面に案内されるため、容易に圧縮機室部前板９を取り付けることができる。
【産業上の利用可能性】
【００３４】
以上のように本発明に係る空気調和機の室外ユニットは、安価な構成で、見栄えを悪くすることもなく、一人で確実に、しかも簡単に圧縮機室部前板の取り付けができるので、作業効率が非常に良いもので、空気調和機の室外ユニットに限らず、給湯機など、外郭が板金部材で形成された各種機器に適用できる。
【図面の簡単な説明】
【００３５】
【図１】本発明の実施の形態１における空気調和機の室外ユニットの斜視図
【図２】同室外ユニットの外箱構成を示す分解斜視図
【図３】本発明の第２の実施の形態における空気調和機の室外ユニットの分解斜視図
【図４】本発明の第３の実施の形態における空気調和機の室外ユニットの部分分解斜視図
【図５】同室外ユニットの吹き出しグリルの斜視図
【図６】同室外ユニットの吹き出しグリルの横断面図
【図７】従来の空気調和機の室外ユニットの展開斜視図
【図８】（ａ）図７のＤ部およびＥ部の横断面図（ｂ）同Ｄ部およびＥ部の正面図
【図９】従来の他の例を示す空気調和機の室外ユニットの斜視図
【符号の説明】
【００３６】
１  室外ユニット
１ａ  外箱
３  天板
４  吹き出し口
５  吹き出し口部前板
６  吹き出しグリル
７  圧縮機室
９  圧縮機室部前板
１０  側板
１１  係止爪
１２  係合穴
１４  凸部
１５  凹部
１６  面取り形状
【図１】
2009250459.tif 000003
【図２】
2009250459.tif 000004
【図３】
2009250459.tif 000005
【図４】
2009250459.tif 000006
【図５】
2009250459.tif 000007
【図６】
2009250459.tif 000008
【図７】
2009250459.tif 000009
【図８】
2009250459.tif 000010
【図９】
2009250459.tif 000011